(57)【特許請求の範囲】
【請求項１】
複数の連結釘を並列に収容し、圧力板にて連結釘の側面を押圧して釘マガジン内の釘ガイド面と圧力板とにより複数の連結釘を挟んで保持し、釘ガイド面に接している連結釘を釘送り爪により釘打ち機のノーズへ供給するように構成した釘打ち機の釘マガジンにおいて、
釘ガイド面(8a)の上端の角部にて一列目の連結釘の釘頭を支え、圧力板(6)の上に設けた釘頭サポート(5)にて二列目の連結釘の釘頭を支え、釘ガイド面の上端よりも釘頭サポートを高位置に配置して、一列目の連結釘と二列目の連結釘の各釘頭が上下に変位して収容されるように形成するとともに、
上下方向へ回動するレバー(14)を連結釘収容部の上方に配置し、バネによりレバーの先端を一列目の連結釘の上面に対向させて一列目の連結釘の上方移動を規制するとともに、二列目の連結釘が前列へ移動する際に釘頭がレバーの側面に当接し、レバーのバネ力により下方へ押し下げられて釘頭がガイド面の上端の角部に掛かるように構成したことを特徴とする釘マガジン。
【発明の詳細な説明】
【０００１】
【発明の属する技術分野】
この発明は、釘打ち機の釘マガジンに関するものであり、特に、複数枚の連結釘を装填できる釘マガジンに関するものである。
【０００２】
【従来の技術】
多数の釘を硬質紙等の帯で連結したスティック釘或いはシート釘等とよばれる連結釘を使用する釘打ち機の釘マガジンにおいて、連結釘装填の手間を省くために二枚以上の連結釘を装填できるようにした連装形釘マガジンが知られている。
【０００３】
此種の釘マガジンは、複数の連結釘を並列に装填する釘収容室と、釘収容室内の連結釘の側面に弾接して釘収容室の一方の内壁面（釘ガイド面）に押し付けるバネ式圧力板を備えている。
【０００４】
釘収容室に装填された複数の連結釘は、圧力板により釘打ち機のノーズへ通じる釘ガイド面へ押し付けられる。釘ガイド面に接している一列目の連結釘は、釘打ち機の釘打ちピストンに連動する釘送り爪により釘打ち機のノーズ方向へ送られ、先頭の釘がノーズ内へ装填されて釘打ちピストンにより射出される。
【０００５】
一列目の連結釘の最後尾が二列目の連結釘の先頭よりも前方へ進むと、二列目の連結釘が圧力板に押されて釘収容室の釘ガイド面に圧接し、二列目の先頭の釘が一列目の最後尾の釘に接する状態となり、二列目の連結釘が釘送り爪により送られて釘打ち機のノーズへ連続的に釘が供給される。
【０００６】
また、釘の長さが異なる種々の連結釘に対応するために、連結釘を下方から支える上下スライド式の釘ガイドテーブルが釘収容室内に備えられていて、釘の長さに合わせて釘ガイドテーブルの位置を変更して釘の頭の高さを一定に調節するように構成されている。
【０００７】
【発明が解決しようとする課題】
従来の連装形釘マガジンは、釘ガイドテーブルに載った複数の連結釘の釘頭が同じ高さで隣り合うので、釘収容室の横幅を釘の頭径×連結釘の枚数とほぼ等しくしなければならず、釘マガジンの横幅が大きくなるという問題がある。
【０００８】
釘マガジンを小型化するためには、釘マガジン内で隣接する連結釘を上下に変位させて段違いに収容すれば、釘マガジンの横幅を可及的に薄型化することができるが、各列の連結釘を安定的に保持するとともに、後列から前列へ移動する際に上下方向の移動が確実に行われるように構成する必要がある。
【０００９】
そこで、複数の連結釘を段違いに収容し、且つ各列の連結釘の上下位置を確実に制御できる釘マガジンを提供するために解決すべき技術的課題が生じてくるのであり、本発明は上記課題を解決することを目的とする。
【００１０】
【課題を解決するための手段】
この発明は、上記目的を達成するために提案するものであり、複数の連結釘を並列に収容し、圧力板にて連結釘の側面を押圧して釘マガジン内の釘ガイド面と圧力板とにより複数の連結釘を挟んで保持し、釘ガイド面に接している連結釘を釘送り爪により釘打ち機のノーズへ供給するように構成した釘打ち機の釘マガジンにおいて、
釘ガイド面の上端の角部にて一列目の連結釘の釘頭を支え、圧力板の上に設けた釘頭サポートにて二列目の連結釘の釘頭を支え、釘ガイド面の上端よりも釘頭サポートを高位置に配置して、一列目の連結釘と二列目の連結釘の各釘頭が上下に変位して収容されるように形成するとともに、
上下方向へ回動するレバーを連結釘収容部の上方に配置し、バネによりレバーの先端を一列目の連結釘の上面に対向させて一列目の連結釘の上方移動を規制するとともに、二列目の連結釘が前列へ移動する際に釘頭がレバーの側面に当接し、レバーのバネ力により下方へ押し下げられて釘頭がガイド面の上端の角部に掛かるように構成した釘マガジンを提供するものである。
【００１１】
【発明の実施の形態】
以下、この発明の実施の一形態を図に従って詳述する。図1は空気圧駆動型の釘打ち機1を示し、ノーズ2の背面に釘マガジン3が結合されている。釘マガジン3は、連結釘の形状に合わせて前下がりに傾斜しており、釘マガジン3内に装填された連結釘Nは、釘送り爪4によりノーズ方向へ送られて先頭の釘がノーズ2内へ挿入される。
【００１２】
図2乃至図4は釘マガジン3を示し、図2に示す5は釘頭サポートであり、図3に示す6は圧力板である。図4に示す背面の釘装填口7へ連結釘を挿入する際は、連結釘Nが圧力板6を横方向へ押し下げて釘マガジン3内へ進入し、二枚の連結釘Nを並列に装填可能となっている。
【００１３】
図2及び図3に示すように、釘マガジン3の釘ガイドレール8の右側面にはバネ復帰式の空気圧シリンダ9が設けられており、空気圧シリンダ9のピストンロッド10にラチェット式釘送り爪4が取付けられている。
【００１４】
空気圧シリンダ9は、釘打ち機1のブローバックチャンバから供給される圧力空気によって、図2に示す前方待機位置から図3に示すストローク端へ後退し、その後にバネ11の力によって前方待機位置へ戻り、このとき釘送り爪4が一列目の連結釘N1に係合して前方へ送る。一列目の連結釘N1が送られて、その最後尾が二列目の連結釘N2の前端部よりも前位置に進むと、圧力板6の押圧力により二列目の連結釘N2の前端部が一列目の連結釘N1の最後尾につながり、一列目と二列目の連結釘N1,N2が途切れることなくノーズへ送られる。また、図3に示すように、圧力板6の前部には逆止爪12が設けられていて、釘送り爪4が後退する際の連結釘の後方への移動を防止している。
【００１５】
図5乃至図8に示すように、釘マガジン3の釘ガイドレール8の断面形状はJチャネル形であり、釘ガイドレール8の釘ガイド面8aに対向する圧力板ホルダ13にバネ（図示せず）を介して圧力板6が装着されている。圧力板6の上には圧力板と同様に横方向へスライド可能な釘頭サポート5が取付けられており、釘頭サポート5はバネ（図示せず）によって釘ガイド面8aに向かって突出する方向に付勢されている。釘頭サポート5のスライドストロークは、圧力板6のスライドストロークよりも短く制限されていて、図8に示すように、釘マガジン3内の連結釘が一枚の場合は釘頭サポート5に釘頭が掛からず、圧力板6と釘ガイドレール8のそれぞれの上面角部に釘頭を掛けて支持するように形成してある。
【００１６】
また、一列目の連結釘の直上位置に配置した釘セットレバー14は、バネ（図示せず）により図5乃至図8において時計方向に付勢されており、先端が一列目の連結釘の上面に対向する位置で停止している。
【００１７】
次に、釘マガジン3の動作を説明する。図5は二枚の連結釘N1,N2を装填した状態を示し、一列目の連結釘N1と二列目の連結釘N2は、釘頭の位置が上下に変位した状態で収容されるので、釘頭が同一高さで並ぶ従来の釘マガジンよりも横幅を狭くすることができる。
【００１８】
一列目の連結釘N1が消費されて二列目の連結釘N2よりも前方へ進むと、図6に示すように、釘頭サポート5に釘頭が掛かっている二列目の連結釘N2は、圧力板6と釘頭サポート5とに押されて釘ガイドレール8の釘ガイド面8a方向へ移動し、釘頭が釘セットレバー14を押して反時計方向へ回す。
【００１９】
釘頭サポート5は図6に示す位置で停止し、圧力板6は更に前進して連結釘を釘ガイド面8aに押し付けて停止する。図7に示すように、このとき連結釘N2の釘頭は釘頭サポート5から外れ、釘セットレバー14の回転トルクにより下方へ押されて、図8に示すように圧力板6と釘ガイドレール8の上面角部に掛かって支持され、図5に示す一列目の連結釘N1と同一位置にセットされる。
【００２０】
また、空の釘マガジン3へ釘を装填する際は、最初の連結釘が上記の図6、図7、図8の過程を経てセットされ、続いて二列目の連結釘を挿入すると、二列目の連結釘の釘頭は釘頭サポート5に掛かって、図5に示すように二列目の連結釘N2は一列目の連結釘N1よりも高い位置に保持される。
【００２１】
尚、この発明は上記の実施形態に限定するものではなく、この発明の技術的範囲内において種々の改変が可能であり、この発明がそれらの改変されたものに及ぶことは当然である。
【００２２】
【発明の効果】
以上説明したように、本発明の釘マガジンは、複数の連結釘が上下に変位して段違いに並ぶので、連結釘の釘頭が隣り合って並ぶ従来の構成よりも釘マガジンの横幅を狭くして小型軽量化できる。また、二列目の連結釘が一列目へ移動する際に、連結釘収容部の上方に配置したレバーが連結釘を押し下げて所定の高さにセットし、且つ上方への移動を規制するので、連結釘の上下位置が正確に制御され、且つ安定的に保持される。
【図面の簡単な説明】
【図１】本発明の実施の一形態を示し、空気圧釘打ち機の側面図である。
【図２】本発明の釘マガジンを示し、図1のA-A線矢視断面図。
【図３】本発明の釘マガジンを示し、図1のB-B線矢視断面図。
【図４】釘マガジンの背面図。
【図５】二枚の連結釘を装填した釘マガジンの断面図。
【図６】釘マガジンの作動過程を示す断面図。
【図７】釘マガジンの作動過程を示す断面図。
【図８】釘マガジンの作動過程を示す断面図。
【符号の説明】
1      釘打ち機
3      釘マガジン
4      釘送り爪
5      釘頭サポート
6      圧力板
8      釘ガイドレール
8a     釘ガイド面
12     逆止爪
14     釘セットレバー
【図１】
0004508392.tif 000002
【図２】
0004508392.tif 000003
【図３】
0004508392.tif 000004
【図４】
0004508392.tif 000005
【図５】
0004508392.tif 000006
【図６】
0004508392.tif 000007
【図７】
0004508392.tif 000008
【図８】
0004508392.tif 000009